(57)【要約】【課題】操作が容易であり、適切な消火活動を行うことができる消火器を提供すること。【解決手段】本考案である消火器は、消火剤が充填され、外部からの衝撃により破損するよう形成された容器と、容器の上端に形成された開口部を塞ぐ頭頂部と、容器内から頭頂部を通過して外部に連通し、容器内の消火剤を外部に流通させる流路と、頭頂部に形成された流路の一端を塞ぐ蓋部材と、を備える。そして、上記蓋部材は、流路の一端を塞いだ状態から頭頂部に対して回転することによって、当該頭頂部に形成された流路の一端を外部に連通させるよう構成されている。【選択図】図２
0003202628.tif 000002
【実用新案登録請求の範囲】
【請求項１】
消火剤が充填され、外部からの衝撃により破損するよう形成された容器と、
前記容器の上端に形成された開口部を塞ぐ頭頂部と、
前記容器内から前記頭頂部を通過して外部に連通し、前記容器内の前記消火剤を外部に流通させる流路と、
前記頭頂部に形成された前記流路の一端を塞ぐ蓋部材と、を備え、
前記蓋部材は、前記流路の一端を塞いだ状態から前記頭頂部に対して回転することによって、当該頭頂部に形成された前記流路の一端を外部に連通させるよう構成されている、
消火器。
【請求項２】
請求項１に記載の消火器であって、
前記蓋部材は、前記流路の一端を塞いだ状態から前記頭頂部に対して回転することによって、前記頭頂部に形成された前記流路と連通して当該流路を外部に連通させる蓋側流路を有する、
消火器。
【請求項３】
請求項２に記載の消火器であって、
前記流路の一端は、前記頭頂部の側面から外部に連通するよう形成されており、
前記蓋部材は、前記頭頂部の上面及び側面を覆う凹部を有して形成されると共に、当該凹部の内側面で前記流路の一端を塞ぐよう形成されており、
前記蓋側流路は、前記蓋部材を前記凹部側から外表面にかけて貫通して形成され、当該蓋部材が前記流路の一端を塞いだ状態から前記頭頂部に対して回転することによって前記流路と連通するよう構成されている、
消火器。
【請求項４】
請求項２に記載の消火器であって、
前記蓋部材は、外表面で前記流路の一端を塞ぐよう形成されており、
前記蓋側流路は、前記流路の一端を塞ぐ前記蓋部材の外表面箇所とは異なる外表面箇所間を貫通して形成されると共に、当該蓋部材が前記流路の一端を塞いだ状態から前記頭頂部に対して回転することによって前記流路と連通するよう構成されている、
消火器。
【請求項５】
請求項１に記載の消火器であって、
前記蓋部材は、前記頭頂部を覆う凹部を有して形成されており、当該凹部の内表面で前記流路の一端を塞いだ状態で前記容器あるいは前記頭頂部に対して固着部材を介して固着されており、
前記固着部材は、前記蓋部材を前記頭頂部に対して回転させたときに破損するよう形成され、
前記蓋部材は、前記固着部材が破損して前記流路の一端を塞いだ状態から前記頭頂部に対して回転することによって、前記頭頂部に形成された前記流路の一端を外部に連通させるよう構成されている、
消火器。
【考案の詳細な説明】
【技術分野】
【０００１】
本考案は、消火器にかかり、特に、手持ち及び手投げにて利用可能な消火器に関する。
【背景技術】
【０００２】
火災発生時に使用する消火器として、種々の消火器が普及している。例えば、手に持って操作レバーを操作することにより消火粉末を噴射する粉末消火器や、消火剤が封入され衝撃によって破損する容器を備えており、消火箇所に手投げすることで消火剤が飛散される投擲型消火器、などがある。
【０００３】
上記投擲型消火器は、例えば特許文献１に記載のように、容器がポリ塩化ビニルなどの衝撃により破損しやすい合成樹脂にて形成されており、また、人間が把持して投擲しやすい大きさに形成されている。このため、投擲型消火器は、火災箇所に投げ込むといった容易な操作で消火活動を行えるため、利便性が高い。
【先行技術文献】
【特許文献】
【０００４】
【特許文献１】特許第３０８１５３１号公報
【考案の概要】
【考案が解決しようとする課題】
【０００５】
ここで、特許文献１に記載のような投擲型消火器は、その目的や構成から、必ず火災箇所に投げ込まなければならない。しかしながら、火災箇所によっては、投擲型消火器を投げ込むことによって不都合が生じる場合がある。例えば、キッチンにおいて天ぷら鍋など油が充填された箇所に投げ込むと、その衝撃で油が飛散し、必ずしも適切な消火活動とならない場合がある。また、カーテンや布団、ソファなどの柔らかい素材の火災に対して、投擲型消火器を投げ込んでも、接触したときの衝撃が弱いために容器が破損せず、消火を行うことができない場合もある。
【０００６】
このため、本考案の目的は、上述した課題である、操作が容易であり、適切な消火活動を行うことができる消火器を提供することにある。
【課題を解決するための手段】
【０００７】
本考案の一形態である消火器は、
消火剤が充填され、外部からの衝撃により破損するよう形成された容器と、
前記容器の上端に形成された開口部を塞ぐ頭頂部と、
前記容器内から前記頭頂部を通過して外部に連通し、前記容器内の前記消火剤を外部に流通させる流路と、
前記頭頂部に形成された前記流路の一端を塞ぐ蓋部材と、を備え、
前記蓋部材は、前記流路の一端を塞いだ状態から前記頭頂部に対して回転することによって、当該頭頂部に形成された前記流路の一端を外部に連通させるよう構成されている、
という構成をとる。
【０００８】
また、上記消火器では、
前記蓋部材は、前記流路の一端を塞いだ状態から前記頭頂部に対して回転することによって、前記頭頂部に形成された前記流路と連通して当該流路を外部に連通させる蓋側流路を有する、
という構成をとる。
【０００９】
また、上記消火器では、
前記流路の一端は、前記頭頂部の側面から外部に連通するよう形成されており、
前記蓋部材は、前記頭頂部の上面及び側面を覆う凹部を有して形成されると共に、当該凹部の内側面で前記流路の一端を塞ぐよう形成されており、
前記蓋側流路は、前記蓋部材を前記凹部側から外表面にかけて貫通して形成され、当該蓋部材が前記流路の一端を塞いだ状態から前記頭頂部に対して回転することによって前記流路と連通するよう構成されている、
という構成をとる。
【００１０】
また、上記消火器では、
前記蓋部材は、外表面で前記流路の一端を塞ぐよう形成されており、
前記蓋側流路は、前記流路の一端を塞ぐ前記蓋部材の外表面箇所とは異なる外表面箇所間を貫通して形成されると共に、当該蓋部材が前記流路の一端を塞いだ状態から前記頭頂部に対して回転することによって前記流路と連通するよう構成されている、
という構成をとる。
【００１１】
また、上記消火器では、
前記蓋部材は、前記頭頂部を覆う凹部を有して形成されており、当該凹部の内表面で前記流路の一端を塞いだ状態で前記容器あるいは前記頭頂部に対して固着部材を介して固着されており、
前記固着部材は、前記蓋部材を前記頭頂部に対して回転させたときに破損するよう形成され、
前記蓋部材は、前記固着部材が破損して前記流路の一端を塞いだ状態から前記頭頂部に対して回転することによって、前記頭頂部に形成された前記流路の一端を外部に連通させるよう構成されている、
という構成をとる。
【００１２】
上記消火器によると、まず、火災箇所に投げ込んだ場合には、接地したときの衝撃で容器が破損し、内部の消火剤が火災箇所に飛散して、消火を行うことができる。つまり、投擲型消火器として利用することができ、容易な操作で消火活動を行うことができる。一方で、火災箇所が消火器を投げ込むことに適さない場合には、蓋部材を回転させることで、容器内に設けられた流路の一端が頭頂部から外部に連通することとなり、内部の消火剤を消火箇所に流出させることができる。つまり、消火器を手持ち状態で使用することができ、容易な操作で消火活動を行うことができる。
【考案の効果】
【００１３】
本考案は、以上のように構成されるため、容易な操作で手持ち型と投擲型のいずれの形態の消火器としても利用することができ、火災箇所に応じて適切な消火活動を行うことができる。
【図面の簡単な説明】
【００１４】
【図１】本発明の第１の実施形態における消火器の構成を示す図である。
【図２】本発明の第１の実施形態における消火器の構成を示す図である。
【図３】本発明の第２の実施形態における消火器の構成を示す図である。
【図４】本発明の第２の実施形態における消火器の構成を示す図である。
【図５】本発明の第３の実施形態における消火器の構成を示す図である。
【考案を実施するための形態】
【００１５】
＜実施形態１＞
本考案の第１の実施形態を、図１乃至図２を参照して説明する。図１乃至図２は、消火器の構成を示すである。なお、図１乃至図２では、特に図示しないが、一部構成の断面図を示している。
【００１６】
本実施形態における消火器は、消火剤１が充填される容器１０と、容器１０の上端に形成された当該容器の開口部を塞ぐ頭頂部２０と、を備えている。また、容器１０内には、内部の消火剤１を外部に流通（流出）させる流路を形成する管路４０が設けられている。
【００１７】
上記容器１０は、外部からの衝撃により破損する強度の材料にて形成されている。例えば、ポリ塩化ビニル、ポリエチレン、ポリプロピレンなどの合成樹脂等によって形成されており、投擲され接地したときなど、所定の圧力が外部から印加された際に破損する。このように、本考案における消火器は、火災箇所に投擲することで、容器が破損して内部の消火剤１が周囲に飛散することとなり、消火活動を行うことができる。つまり、投擲型の消火器として利用することができる。
【００１８】
上記頭頂部２０は、容器１０内に消火剤１を注入する際の開口部を塞ぐキャップである。本実施形態では、頭頂部２０は、ほぼ円柱形状に形成されており、下端面から側面にかけて、内部に、直角形状の管路４０が挿通される通路が形成されている。
【００１９】
上記管路４０は、一端側が頭頂部２０の内部を通過して当該頭頂部２０に固定装備されており、他端側が容器１０の下端付近に位置して配置されている。そして、管路４０の一端側は、略直角に曲折されており、先端（一端）の開口端が、頭頂部２０の側面に位置している。これにより、管路４０の一端が、頭頂部２０の側面にて外部に連通する、つまり、外部に露出するよう形成されている。
【００２０】
上記構成に加え、本実施形態の消火器は、頭頂部２０に形成された管路４０の一端を塞ぐ蓋部材３０を備えている。蓋部材３０は、円柱形状の頭頂部２０の上面と側面を覆うよう形成されている。つまり、蓋部材３０は、外形が頭頂部２０よりも大きい円柱形状であり、その底面に、頭頂部２０と同じ大きさあるいはやや大きい円柱形状の凹部が形成されている。これにより、蓋部材３０は、頭頂部２０を底面側の凹部に収容するよう当該頭頂部２０に被せることで、図１（ａ），（ｂ）に示すように、内側面が頭頂部２０の側面に当接し、当該側面に位置する管路４０の一端を塞ぐこととなる。なお、図１（ｂ）は、図１（ａ）の右側面図である。
【００２１】
蓋部材３０の側壁には、凹部側の内表面から外表面にかけて貫通する通路３１（蓋側流路）が形成されている。この通路３１は、断面形状が上述した管路４０とほぼ同じ大きさの外形である。そして、通路３１は、図１（ａ）に示すように、蓋部材３０を頭頂部２０に被らせた状態で、当該頭頂部２０の側面に位置する管路４０の一端と同一の高さに位置するよう形成されている。
【００２２】
また、蓋部材３０は、容器１０または頭頂部２０から取り外しができないよう、当該容器１０または頭頂部２０に係合している。例えば、蓋部材３０の凹部の下端付近に、当該凹部の内部側に突出する円周状の突起が形成され、また、頭頂部２０の下端付近に外側に突出する円周状の突起が形成されている。そして、蓋部材３０の凹部内の円周状突起内に、頭頂部２０の突起を嵌め込むことで、蓋部材３０が容器１０や頭頂部２０に対して、上方に移動することを規制することができる。これと同時に、蓋部材３０は、容器１０や頭頂部２０に対して水平方向に回転するよう、当該容器１０あるいは頭頂部２０に係合されていることとなる。
【００２３】
図１に示すように、蓋部材３０の内表面で頭頂部２０の側面に位置する管路４０の一端が塞がれている状態から、図２に示すように、蓋部材３０を頭頂部２０に対して回転させる。すると、ある角度だけ回転させると、蓋部材３０に形成された通路３１と、頭頂部２０の側面に位置する管路４０と、が連通することとなる。つまり、管路４０の一端が、通路３１を介して外部に連通することとなる。
【００２４】
これにより、図２（ｂ）の矢印で示すように、容器１０内部の消火剤１が管路４０の下端から上端（一端）に流通し、蓋部材３０の通路を通じて外部に流出されることとなる。このとき、消火剤１を火災箇所に流出させることで、消火活動と行うことができる。このように、本考案における消火器は、上述したように投擲型として利用することができるとともに、手持ち状態でも使用することができる。
【００２５】
なお、容器１０に充填されている消火剤１は、木材や紙などが燃える火災（Ａ火災）、油類などが燃える火災（Ｂ火災）、電気設備のショートが原因の火災（Ｃ火災）など、いかなる火災にも有効な薬剤であることが望ましい。ただし、消火剤１は、いかなる材料であってもよい。
【００２６】
また、消化剤１は、容器１０内に高圧状態で充填されていてもよい。例えば、容器１０を振ることで、容器１０内で薬剤が混合されることで、消化剤１が高圧状態となってもよい。これにより、上述したように手持ち状態で使用する場合には、管路４０と蓋部材３０の通路３１とが連通すると同時に、容器１０内の消化剤１が外部に流出することとなる。なお、容器１０は、高圧状態の消化剤１に対して破損することなく耐えられる強度であると共に、投擲などによる外部からの衝撃に対しては破損するよう構成されている。
【００２７】
以上のように、本考案における消火器は、容易な操作で手持ち型と投擲型のいずれの形態の消火器として利用することができ、火災箇所に応じて適切な消火活動を行うことができる。
【００２８】
＜実施形態２＞
次に、本考案の第２の実施形態を、図３乃至図４を参照して説明する。図３乃至図４は、消火器の構成を示す図である。なお、図３乃至図４では、特に図示しないが、一部構成の断面図を示している。また、以下では、実施形態１とほぼ同様の構成については、その説明を省略する。
【００２９】
本実施形態における消火器は、消火剤１が充填される容器１０と、容器１０の上端に形成された当該容器の開口部を塞ぐ頭頂部２０と、を備えている。また、容器１０内には、内部の消火剤１を外部に流通（流出）させる流路を形成する管路４０が設けられている。
【００３０】
上記容器１０は、実施形態１と同様に、外部からの衝撃により破損する強度の材料にて形成されている。このため、本実施形態の消火器は、投擲型の消火器として利用することができる。
【００３１】
上記頭頂部２０は、容器１０内に消火剤１を注入する際の開口部を塞ぐキャップである。本実施形態では、頭頂部２０は、ほぼ円柱形状に形成されているが、図３（ａ），（ｂ）に示すように、上面から下方かつ一方向の側面に向かって凹んだ形状の凹部２１が形成されている。この凹部２１は、側面側では開口している。そして、凹部２１の内底面には、容器１０内部に設けられた管路４０の一端が位置している。これにより、管路４０の一端は、頭頂部２０に形成された凹部２１の内底面にて外部に連通する、つまり、外部に露出するよう形成されている。
【００３２】
上記構成に加え、本実施形態の消火器は、頭頂部２０に形成された管路４０の一端を塞ぐ蓋部材５０を備えている。本実施形態における蓋部材５０は、頭頂部２０に形成された凹部２１内に収容される略球状の球状部と、この球状部の所定箇所から突出する所定の長さの棒状部と、が一体的となって構成されている。そして、蓋部材５０の内部には、略直角に曲折する通路５１（蓋側流路）が形成されている。この通路５１は、棒状部の先端面から球状部に向かって形成されると共に、球状部のほぼ中心で直角に曲折して当該球状部の外表面に貫通している。つまり、蓋部材５０に形成されている通路５１は、一端は棒状部の先端面で開口しており、他端は、球状部に対して棒状部が連結している箇所やその反対側の外表面箇所とは異なる外表面箇所で開口している。なお、通路５１の断面形状は、管路４０とほぼ同じ大きさ、あるいは、それよりも小さい大きさの外形に形成されている。
【００３３】
上記蓋部材５０は、図３及び図４に示すように、頭頂部２０に形成された凹部２１に沿って回転するよう、当該頭頂部２０に係合している。例えば、蓋部材５０の球状部の図３（ｂ）において左右に位置する外表面箇所が、頭頂部２０の凹部２１の側壁に軸支されている。
【００３４】
蓋部材５０は、図３に示すように、棒状部の先端が上方を向いている状態では、球状部に対して棒状部が連結している箇所とは反対側の外表面箇所が、頭頂部２０に位置する管路４０の一端を塞ぐこととなる。換言すると、蓋部材５０に形成された通路５１の他端が位置する球状部の外表面とは異なる外表面箇所が、管路４０の一端に位置することとなるため、当該管路４０の一端を蓋部材５０で塞ぐこととなる。なお、図４（ｂ）は、図４（ａ）の左側面図である。
【００３５】
そして、図３に示すように蓋部材５０で管路４０の一端が塞がれている状態から、図４に示すように、蓋部材５０を頭頂部２０に対して回転させる。つまり、蓋部材５０の棒状部が上方を向いた状態から水平方向を向く状態に回転させる。すると、管路４０の一端が位置する箇所に、通路５１の他端が位置する蓋部材５０の外表面箇所が位置することとなる。これにより、蓋部材５０に形成された通路５１と、頭頂部２０に位置する管路４０と、が連通することとなる。つまり、管路４０の一端が、通路５１を介して外部に連通することとなる。なお、図４（ｂ）は、図４（ａ）の左側面図である。
【００３６】
これにより、図４（ａ）の矢印で示すように、容器１０内部の消火剤１が管路４０の下端から上端（一端）に流通し、蓋部材５０の通路５１を通じて外部に流出されることとなる。このとき、消火剤１を火災箇所に流出させることで、消火活動と行うことができる。このように、本考案における消火器は、投擲型として利用することができるとともに、手持ち状態でも使用することができる。つまり、容易な操作で手持ち型と投擲型のいずれの形態の消火器として利用することができ、火災箇所に応じて適切な消火活動を行うことができる。
【００３７】
＜実施形態３＞
次に、本考案の第３の実施形態を、図５を参照して説明する。図５は、消火器の構成を示す図である。なお、図５では、特に図示しないが、一部構成の断面図を示している。また、以下では、実施形態１とほぼ同様の構成については、その説明を省略する。
【００３８】
本実施形態における消火器は、消火剤１が充填される容器１０と、容器１０の上端に形成された当該容器の開口部を塞ぐ頭頂部２０と、を備えている。また、容器１０内には、内部の消火剤１を外部に流通（流出）させる流路を形成する管路４０が設けられている。
【００３９】
上記容器１０は、実施形態１と同様に、外部からの衝撃により破損する強度の材料にて形成されている。このため、本実施形態の消火器は、投擲型の消火器として利用することができる。
【００４０】
上記頭頂部２０は、容器１０内に消火剤１を注入する際の開口部を塞ぐキャップである。本実施形態では、頭頂部２０は、ほぼ円柱形状に形成されており、下端面から上端面にかけて、内部に管路４０が挿通される通路が形成されている。
【００４１】
上記管路４０は、一端側が頭頂部２０の内部を通過して当該頭頂部２０に固定装備されており、他端側が容器１０の下端付近に位置して配置されている。そして、管路４０の一端の開口端は、頭頂部２０の上面に位置している。これにより、管路４０の一端が、頭頂部２０の上面にて外部に連通する、つまり、外部に露出するよう形成されている。
【００４２】
上記構成に加え、本実施形態の消火器は、頭頂部２０に形成された管路４０の一端を塞ぐ蓋部材６０を備えている。蓋部材６０は、円柱形状の頭頂部２０の上面と側面を覆うよう形成されている。つまり、蓋部材３０は、外形が頭頂部２０よりも大きい円柱形状であり、その底面に、頭頂部２０の直径よりも外形が大きく、頭頂部２０の高さと同じぐらいの深さの円柱形状の凹部が形成されている。これにより、蓋部材６０は、頭頂部２０を底面側の凹部に収容するよう当該頭頂部２０に被せることで、図５（ａ）に示すように、凹部の内底面で頭頂部２０の上面に位置する管路４０の一端を塞ぐこととなる。
【００４３】
さらに、本実施形態では、蓋部材６０を容器１０に対して固着する固着部材６１を備えている。具体的に、固着部材６１は、蓋部材６０の凹部内、つまり、頭頂部２０の側面と蓋部材６０の内側面との間に設けられている。そして、固着部材６１は、例えば、プラスチックなどの複数本の棒状部材であり、両端がそれぞれ凹部の内底面と容器１０の上面とに接着剤などで固着される。これにより、蓋部材６０は、図５（ａ）に示すように、管路４０の一端を塞いだ状態で、容器１０に固着されている。
【００４４】
ここで、上記固着部材６１は、所定の外力が印加されることによって破損する強度に形成されている。例えば、固着部材６１の一部に切り欠きを形成しておき、かかる箇所の強度を他の箇所よりも弱く形成しておく。すると、蓋部材６０を容器１０と一体的な頭頂部２０に対して回転させることで、固着部材６１にはねじり方向の力が印加され、かかる力によって破断するなど破損する。これによって、蓋部材６０と容器１０との固着状態が解除され、蓋部材６０を容器１０から離間させることができる。すると、管路４０の一端が外部に連通することとなる。
【００４５】
これにより、容器１０内部の消火剤１が管路４０の下端から上端（一端）に流通し、外部に流出されることとなる。このとき、消火剤１を火災箇所に流出させることで、消火活動と行うことができる。このように、本考案における消火器は、投擲型として利用することができるとともに、手持ち状態でも使用することができる。つまり、容易な操作で手持ち型と投擲型のいずれの形態の消火器として利用することができ、火災箇所に応じて適切な消火活動を行うことができる。
【００４６】
なお、上記では、固着部材６１を蓋部材６０と容器１０とを固着するよう設けたが、蓋部材６０と頭頂部２０とを固着するよう設けてもよい。例えば、頭頂部２０の上端面に接着剤を塗布して蓋部材６０を装着することで、当該接着剤が固着部材６１となりうる。なお、蓋部材６０と容器１０、あるいは、蓋部材６０と頭頂部２０とを固着する方法は、いかなる方法でもよい。
【００４７】
以上、上記実施形態等を参照して本願考案を説明したが、本願考案は、上述した実施形態に限定されるものではない。本願考案の構成や詳細には、本願考案の範囲内で当業者が理解しうる様々な変更をすることができる。
【符号の説明】
【００４８】
１  消化剤
１０  容器
２０  頭頂部
２１  凹部
３０，５０，６０  蓋部材
３１，５１  通路
４０  管路
６１  固着部材
【図１】
0003202628.tif 000003
【図２】
0003202628.tif 000004
【図３】
0003202628.tif 000005
【図４】
0003202628.tif 000006
【図５】
0003202628.tif 000007